(57)【要約】      （修正有）【課題】いか釣りの仕掛けに使うイカズノを載せるマットにマグネットを設け、これらのマットを船縁に装着するのに取り扱いの良いマグネット利用マットを提供する。【解決手段】船縁上に載置可能なマグネット利用マット１において、数枚のマット２を両面折り畳み可能なヒンジ体３で連結一体化し、夫々のマット面２ａの一部に磁石４を張り合わせ、漁場でイカヅノの針部を吸着保持可能なマグネット利用マットにする。更に、前記マット面２ａの磁石４を除去し、折り畳み自在でのマット２自体をゴム磁石にしたマグネット利用マットにする。また、前記ヒンジ体３を軟質ゴム質でなる２つの対向するキャップを折り曲げ自在でなるシートで連結一体化した両面折り畳みのヒンジ体を使ったマグネット利用マットにする。【選択図】図１
2011217711.tif 000002
【特許請求の範囲】
【請求項１】
船縁上Ａに載置可能な、マグネット利用マット１において、数枚のマット２を両面折り畳み可能なヒンジ体３で連結一体化し、夫々のマット面２ａの一部に磁石４を張り合わせ、漁場で数本のイカヅノＢの夫々の針部Ｂａを吸着保持可能にしたことを特徴とする、マグネット利用マット。
【請求項２】
前記するマット面２ａの磁石４を除去し、折り畳み自在でのマット２自体をゴム磁石４０にしたことを特徴とする請求項１記載の、マグネット利用マット。
【請求項３】
前記するヒンジ体３を軟質ゴム質でなる２つの対向するキャップ５に折り曲げ自在でなるシート５ａで連結一体化した両面折り畳み自在のヒンジ体３０にしたことを特徴とする、請求項１または２項記載の、マグネット利用マット。
【請求項４】
前記するヒンジ体３を軟質ゴム質でなる折り曲げ自在でなるシート５ａで双方のマット２を係合一体化した両面折り畳み可能なヒンジ体３０ａにしたことを特徴とする、請求項１または２項記載の、マグネット利用マット。
【請求項５】
前記する夫々のマット２を連結するヒンジ体３を排除し、組み立て分解式Ｃ構成からなるマット２０にしたことを特徴とする、請求項１または２項記載の、マグネット利用マット。
【発明の詳細な説明】
【技術分野】
【０００１】  この発明は、イカ釣りに使う幹糸の枝ハリスに連なる数本のイカズノと重りでなる仕掛けを釣船から水中に投げ込んだり、或はイカズノ投入器に装着する際に数本の枝ハリスに吊るされた細長いイカズノ同志が絡み合う事無く、釣り場で投げ込むまでの待機中に船縁でマットに整頓保持されたイカズノをタイミングを見て素早く、船上から水中に投げ込む時に使う、イカズノの針部をマットに設けた磁石に吸着保持整頓の出来る、マグネット利用マットに関する。
【背景技術】
【０００２】  此の種の従来の技術として、１枚仕上げの薄板帯状のゴム磁石を船縁に固定し、其のゴム磁石に幹糸の枝ハリスに連なるプスチックに細長い棒状とその先に金属性の鋭い針部とでなるイカズノを適当な間隔を取って夫々の針部を個別で成るマットの磁石に吸着保持することで、釣り舟の揺れや、海風にイカズノが船縁から脱落する事無く、待機する釣り場で素早く投入の出来る、マグネット利用マットが釣り市場に古くから出回っている。【０００３】  また、此の種の従来の技術として、登録実用新案文献１または、特許文献２に記載され開示されている。【０００４】  即ち、始めに述べた釣り市場に出回っている、マグネット利用マットは、船縁に安定的に乗せて固定するゴム素材をベースにし、これらに略相似形のサイズのゴム磁石をベースに張りつけ等で一体化した１枚仕上げの、マグネット利用マットで、船縁に固定するのにマットの片端部をラーク竿受けなどを使い、船縁に敷いたマットを上から双方を挟み込み、万力式仕掛けでマットを固定し、他方の端部には仕掛けの重りを載せ安定的に釣り船の過激な揺れや海風などにマットが飛ばされる事無く固定する構成である。また、これらのゴム素材のベースを使わない、ムクでのゴム磁石素材単体での、マグネット利用マットの船縁固定は、両面テープで張り付けるなどで使われているが、これらのマットは様々な形状の中から夫々選択が出来、何れも撓みのある１枚の帯状で構成されている。【０００５】また、登録実用新案文献１でのマグネット利用マットは、任意形状の縦長溝を設けてある並列板に、任意形状の磁石をこれらの縦長溝に嵌め込み固定し、イカズノの針部の吸着を溝中に保持する仕組みで、針部の鋭い先端の危険なイカズノ仕掛けの運搬、投入、収納等を安全で効率的に実施の出来る構成である。【０００６】  更にまた、特許文献２での、マグネット利用マットは、２個のＬ字状の取り付け部材を対向して一体化した、取り付け部材の双方をスライド式に調整可能なコの字形に合体し、コの字形部を船縁巾に挟み込んでスライドの伸び縮みを操作し、船縁に固定する構成からなるマットで、これらの片方の取り付け部材の表面にゴム磁石を張り付け、イカズノの針部をゴム磁石面に吸着保持する構成で、様々な船縁に対応して取り付け着脱の出来る、マグネット利用のマットである。【０００７】
【特許文献２】特開２００２−８４９５０号公報
【登録実用新案文献１】
登録実用新案公報  第３０４７２４５号公報
【発明の開示】
【発明が解決しようとする課題】
【０００８】  しかしながら、前記する釣り市場に出回っているマグネット利用マット類や、或は公報に開示されるマグネット利用マット類は何れも、釣り人が海釣りでの釣り船の船縁に張り付ける為に、マットの持ち運びや後始末後の収納保管などでは、一枚の撓った細長い帯状マットの為め取り扱い等に難があり、マットを折り曲げたり丸めたりでの扱いではマットにクセが付きフラット面が保持されず、また両面テープを使っての船縁接着でのマット固定においては、取替着脱に難が残る。【０００９】  また、釣りの狙いとするイカの種類やタナに合わせて仕掛けるイカズノのサイズ等の選択が強いられ、比較的針部が大形で重く長いイカズノではゴム磁石の弱い磁力に耐えられず、釣り船のボーリングや突風等でマットからイカズノが飛び出し落下したり、お互いのイカズノ同志が絡む等のアクシデントが起こる場合があり、これらを防ぐ為に、吸着力の強いマグネット、例えば、フェライト磁石や強磁性体で知られる希土類磁石を使ったマットにしない限り効果的な利用が出来ず、更にはイカズノの使用本数の多い少ない等の仕掛けによっては数枚のマットを用意し逐次マットを替えながら使う等の効果的な利用が出来ないという課題が有る。
【課題を解決する為の手段】
【００１０】  この発明は、かかる課題を解決する為に、請求項１での発明は、図１での全体を示しての斜視図で述べるに、船縁上に載置可能なマグネット利用マット１において、数枚のマット２を両面折り畳み可能なヒンジ体３で連結一体化し、夫々のマット面２ａの一部に磁石４を張り合わせ、漁場でイカズノＢの針部Ｂａを吸着保持可能にした、マグネット利用マット構成とする。
次に、請求項２での発明は、図２と図３での全体を示しての斜視図で述べるに、前記するマット面２ｄのゴム磁石を除去し、折り畳み自在でのマット自体をゴム磁石にした、マグネット利用マット構成にする。
次に、請求項３での発明は、図４で要部断面図で述べるに、前記するヒンジ体３を軟質なゴム質の２つの対向するキャップ５を折り曲げ自在でなる軟質のシート５ａで夫々のマット２を連結一体化したヒンジ体３０での、マグネット利用マット構成にする。
次に、請求項４での発明は、図５で要部断面図で述べるに、前記するヒンジ体３を軟質なゴム質で折り曲げ自在でなるシート５ｂで双方のマット２の端子部を係合一体化し両面折り畳みの出来るヒンジ体３０ａを使っての、マグネット利用マット構成にする。
次に、請求項５での発明は、図６の全体を示しての斜視図と図７での分解での使用例での正面図で述べるに、前記するヒンジ体３を排除し、夫々のマット２を組み立て分解式Ｃ構成の出来るマット２０での、マグネット利用マット構成にする。
【発明の効果】
【００１１】  本発明は上述の通り構成作用するので、次の優れた効果を奏する。即ち、請求項１から請求項４までのマグネット利用マットは３分割或は２分割にし両面折り畳み自在のヒンジを使っている事で、比較的長いマットでも折り畳んだまま、搬入や収納保管が出来、折り畳んだまま船縁に装着することで、本数の少ないイカズノ扱いに効果的で、特に請求項１での効果は、マットに一体化する磁石を強磁性体にし、ビッグサイズのイカズノ針部を吸着するのに最適である。
次にまた、請求項５での効果は、分割されたマットがバラバラに組み立てられ分解が出きるので、表と裏の単品での使い方から、或は搬入と収納保管が容易で有るマグネット利用マットを提供出来る。
【発明を実施するための最良の形態】
【００１２】  以下に図示の実施例に基づいて本発明を更に詳細に説明する。即ち、図１は本発明での  第１実施例に基づく全体を示しての斜視図で、３枚の薄いゴム材或は合成樹脂などのマット２を裏と表の両面に折り畳みの出来るヒンジ体３を具備し、夫々のマット２を並列に連結でもってフラット帯状に一体化し、これらの夫々のマット面２ａの一辺に沿うって細長い磁石４を張り付けるが、これらの磁石はゴム磁石４０、或はフェライト磁石、或はこれらの細長い磁石４の張り付け位置間隔を適当に開けて分散し、希土類磁石を配置することで、スポット的にビッグなイカズノＢを定位置に吸着の出来るマグネット利用マット、にすることが容易に出来るマット２と磁石４の２面合体での両面に折り畳みの出来る構成を具現化している。
そして、これらの折り畳みの出来る分割は比較的長い帯状のマット２に広い間隔を置いて整頓するイカヅノ吸着や本数の多いイカヅノ吸着に最適に活用され、折り畳んだままでの船縁装着では本数の少ないイカヅノ対象に活用するなど多機能的に利便性を寄与する構成である。【００１３】  次に、図２と図３は本発明での３枚マットと２枚マットでの第２実施例に基づく全体を示しての斜視図で、前記するマット面２ａに張り付けた細長い磁石４を除去し、折り畳みマット２自体をゴム磁石４０にした一枚仕上げの、マグネット利用マット、にする事でイカズノ吸着面積をフル吸着面にすることで暗がりでの使用、或は若干のイカズノのズレに対応の出来る構成で、且つこれらは裏面、表面の夫々に吸着作用があることで、折り畳んでの合わせ面の双方が引っ張り接合する事で、束ねたと同じ状態を構成する等の効果を奏している。【００１４】  次に、図４（ａ），（ｂ）図は本発明での第３実施例に基づく正面図での要部断面図で、図中（ａ）図はマット２がフラット面でのヒンジ体３０形態で、（ｂ）図は折り畳んだヒンジ体３０の形態で、マット２の折り畳みを両面に向け自在に畳めるヒンジ体３０にするが、これらは軟質で伸縮性ゴム質でなるキャップ状でマット２の夫々の端子部に固めに被せての双方の連結の出来るキャップ５が対向しシート５ａに依って連結での一体化した新たなヒンジ体３０での構成としている。これらのヒンジ体３０は前記する第１、第２実施例での図１、図２、図３で示すヒンジ体３を実施例にあげている。【００１５】  次に、図５（ｃ），（ｄ）は本発明での第４実施例に基づく正面図での要部断面図で、薄い軟質で伸縮性ゴム質でなるシート５ｂを使い、双方のマット２を係合一体化する事で、両面折り畳みを可能にした新たなヒンジ体３０ａを構成している。このように、従来での片面開きのヒンジでの不便さを改良する事で、新しい組合せの機能を提供しての実施例を示すものである。【００１６】  次に、図６は本発明での第５実施例に基づく全体を示しての斜視図で、図７は同じく第５実施例での折り畳んだ形態での正面図で、前記するヒンジ体３を排除し、組み立て分解式Ｃ構成で夫々のマット２０の連結からなる構成で、本実施例の分解式Ｃ手段はマット２０の夫々の端子部での結合は、凹部と凸部での勘合での組み立てと分解の出来る構成とし、搬入と収納での利便性を寄与する構成で、更には、重ね合ったマット２０同志が双方の磁石４が吸着することで束ねと同じ状態を構成する。
【図面の簡単な説明】
【００１７】
【図１】  本発明に係わる第１実施例での全体を示しての斜視図である。
【図２】  本発明に係わる第２実施例での全体を示しての斜視図である。
【図３】  本発明に係わる第２実施例での他の例を示しての斜視図である。
【図４】  本発明に係わる第３実施例で正面図での要部断面図である。
【図５】  本発明に係わる第４実施例で正面図での要部断面図である。
【図６】  本発明に係わる第５実施例で全体を示しての斜視図である。
【図７】  本発明に係わる第５実施例での分解での積み重ねた正面図である。
【図８】  本発明に係わる第１実施例の船縁装着使用例を示しての斜視図である。
【図９】  本発明に係わる第１実施例の他の船縁使用例を示しての斜視図である。
【符号の説明】
【００１８】Ａ          船縁上
Ｂ          イカズノ
Ｂａ        針部
Ｃ          分解式
１          マグネット利用マット
２、２０    マット
２ａ        マット面
３、３０、３０ａ  ヒンジ体
４          磁石
４０        ゴム磁石
５          キャップ
５ａ        シート
【図１】
2011217711.tif 000003
【図２】
2011217711.tif 000004
【図３】
2011217711.tif 000005
【図４】
2011217711.tif 000006
【図５】
2011217711.tif 000007
【図６】
2011217711.tif 000008
【図７】
2011217711.tif 000009
【図８】
2011217711.tif 000010
【図９】
2011217711.tif 000011